(57)【要約】【課題】４種以上のサブピクセル構成の画素であると、３サブピクセルで構成した画素よりも１画素の面積は大型化するため、高精細化が難しくなる。【解決手段】表示装置は、中央表示領域が４種以上のサブピクセル構成である場合、虚像を作り出すために用いる周辺表示領領域の画素構成を３サブピクセルにまで要素数を減らし、空いたスペースを高密度配置するために割り当てる。レンズ部の額縁近辺の画素密度をのみ圧縮しておき、見かけ上非レンズ部の画像と違和感が生じないようにする。周辺表示領域の画素辺は、均等または徐々に狭くしてもよい。【選択図】図２
2015172661.tif 000002
【特許請求の範囲】
【請求項１】
表示装置は、
表示パネルと、
透光性カバーと、
を備え、
前記表示パネルは、
第１の表示領域と、
額縁領域と、
前記第１の表示領域と前記額縁領域の間に配置される第２の表示領域と、
を備え、
前記透光性カバーは、
前記第１の表示領域の上方に配置される第１の領域と、
前記第２の表示領域と前記額縁領域上方に配置される第２の領域と、
を備え、
前記第１の表示領域は４種以上のサブピクセルから構成され、
前記第２の表示領域は３種のサブピクセルから構成され、
前記第２の表示領域の画素の画素密度は、前記第１の表示領域の画素密度よりも大きくするようにされる。
【請求項２】
請求項１の表示装置において、
前記第１の表示領域は第１の画素を有し、
前記第１の画素は４種以上のサブピクセルから構成され、
前記第２の表示領域は第２の画素を有し、
前記第２の画素は３種のサブピクセルから構成され、
前記第２の画素の画素密度は、前記第１の画素の画素密度よりも大きくするようにされる。
【請求項３】
請求項２の表示装置において、
前記第２の画素を前記第２の領域で拡大するようにされる。
【請求項４】
請求項２の表示装置において、
前記第１の領域は前記第１の画素を複数有し、
前記第２の領域は前記第２の画素を複数有する。
【請求項５】
請求項２の表示装置において、
前記第１の画素は、赤色サブピクセルと緑色サブピクセルと青色サブピクセルと白色サブピクセルで構成され、
前記第２の画素は、赤色サブピクセルと緑色サブピクセルと青色サブピクセルで構成される。
【請求項６】
請求項２の表示装置において、
前記第１の領域は前記第１の画素を複数有し、
前記第２の領域は、さらに第３の画素を有し、
前記第３の画素の画素密度は、前記第２の画素の画素密度よりも大きくするようにされる。
【請求項７】
請求項６の表示装置において、
前記第１の画素は、赤色サブピクセルと緑色サブピクセルと青色サブピクセルと白色サブピクセルで構成され、
前記第２および第３の画素のそれぞれは、赤色サブピクセルと緑色サブピクセルと青色サブピクセルで構成される。
【請求項８】
請求項１の表示装置において、
前記第１の表示領域は第１の画素と第４の画素を有し、
前記第１の画素は赤色サブピクセルと緑色サブピクセルと青色サブピクセルで構成され、
前記第４の画素は赤色サブピクセルと緑色サブピクセルと白色サブピクセルで構成され、
前記第２の表示領域は第２の画素を有し、
前記第２の画素は赤色サブピクセルと緑色サブピクセルと青色サブピクセルで構成され、
前記第２の画素の画素密度は、前記第１および第４の画素のそれぞれの画素密度よりも大きくするようにされる。
【請求項９】
請求項８の表示装置において、
前記第２の表示領域は、さらに第５の画素を有し、
前記第５の画素は赤色サブピクセルと緑色サブピクセルと白色サブピクセルで構成され、
前記第５の画素の画素密度は、前記第１および第４の画素のそれぞれの画素密度よりも大きくするようにされる。
【請求項１０】
請求項１から９のいずれか１項の表示装置において、
前記表示パネルは、
第１の方向に延在する走査線と、
前記第１の方向と異なる第２の方向に延在する映像信号線と、
を備え、
前記サブピクセルは、前記第２の方向が前記第１の方向よりも長い矩形形状にされる。
【請求項１１】
請求項１から９のいずれか１項の表示装置において、
前記表示パネルは、
アレイ基板と、
対向基板と、
前記アレイ基板と前記対向基板に挟持される液晶層と、
を備える。
【請求項１２】
請求項１から９のいずれか１項の表示装置において、
前記透光性カバーの前記第２の領域はレンズ部であるようにされる。
【請求項１３】
請求項１から９のいずれか１項の表示装置において、
前記表示パネルと前記透光性カバーの間に空気層を備える。
【請求項１４】
請求項１から９のいずれか１項の表示装置において、
前記透光性カバーは、前記表示パネルよりも観測者側に配置するようにされる。
【請求項１５】
表示装置は、
表示パネルと、
透光性カバーと、
を備え、
前記表示パネルは、
第１の表示領域と、
額縁領域と、
前記第１の表示領域と前記額縁領域の間に配置される第２の表示領域と、
を備え、
前記透光性カバーは、
前記第１の表示領域の上方に配置される非レンズ部と、
前記第２の表示領域と前記額縁領域上方に配置されるレンズ部と、
を備え、
前記第１の表示領域には４種のサブピクセルから構成される第１の画素を有し、
前記第２の表示領域には３種のサブピクセルから構成される第２の画素を有し、
前記第２の画素の画素密度は、前記第１の画素の画素密度よりも大きくするようにされ、
前記第２の画素を前記レンズ部で拡大するようにされる。
【請求項１６】
請求項１５の表示装置において、
前記第１の画素は、赤色サブピクセルと緑色サブピクセルと青色サブピクセルと白色サブピクセルで構成され、
前記第２および第３の画素のそれぞれは、赤色サブピクセルと緑色サブピクセルと青色サブピクセルで構成される。
【請求項１７】
請求項１５の表示装置において、
前記表示パネルは、
第１の方向に延在する走査線と、
前記第１の方向と異なる第２の方向に延在する映像信号線と、
を備え、
前記サブピクセルは、前記第２の方向が前記第１の方向よりも長い矩形形状にされる。
【請求項１８】
請求項１５の表示装置において、
前記表示パネルは、
アレイ基板と、
対向基板と、
前記アレイ基板と前記対向基板に挟持される液晶層と、
を備える。
【請求項１９】
請求項１５の表示装置において、
前記透光性カバーは、前記表示パネルよりも観測者側に配置するようにされる。
【発明の詳細な説明】
【技術分野】
【０００１】
本開示は、表示装置に関し、例えば額縁領域等のパネル周辺部に非表示領域を有する表示装置に適用可能である。
【背景技術】
【０００２】
昨今、液晶ディスプレイは高精細化、狭額縁化に向けた開発が盛んである。また、ウェアラブルディスプレイのような新しい製品もアナウンスされることが多くなってきている。しかしながら、額縁があるということは、映像の外周に「縁」が見えるためデザイン面での制約が生じる。額縁レスを実現できれば、表示領域は背景である風景に溶け込むことができ、ハードとしてアプリケーションが増えるものと期待できる。
額縁を細くし、かつ面積を小さくする取り組みには、配線や液晶パネルのシール材等の制約により物理的な限界がある。その一つの解決手段として、額縁を虚像により隠すことが提案されている。これを実現する手段としては、特表２００４−５２４５５１号公報（特許文献１）に開示されるように、通常の表示領域（中央表示領域）とは別に、額縁を隠すための映像を供給する拡大用表示領域（周辺表示領域）を設け、該当箇所の映像のみをレンズで拡大し、額縁上にあたかも映像があるように見せる。さらに、拡大用表示領域は通常の表示領域にくらべ映像の画質低下をもたらすため、特許文献１では、これを補正するために拡大用表示領域の画素密度を高密度化するようにしている。
【先行技術文献】
【特許文献】
【０００３】
【特許文献１】特表２００４−５２４５５１号公報
【発明の概要】
【発明が解決しようとする課題】
【０００４】
表示装置は低消費電力や色域拡大等のために１画素を３色（例えば、赤（Ｒ），緑（Ｇ），青（Ｂ））よりも多いサブピクセルで構成することがある。すなわち４種以上の色要素構成を使うことがある。４種以上のサブピクセル構成の画素であると、３サブピクセルで構成した画素よりも１画素の面積は大型化するため、高精細化が難しくなる。また、表示領域の画素構造は高精細化が進み、サブピクセルの大きさはミクロン単位にまで小さくなってきている。このような表示装置において、周辺表示領域において、中央表示領域以上に高精細化することは限度がある。この限度は、レンズで画素を拡大する限度もまた決定することになるため虚像で隠すことができる額縁のサイズも小さくなる。
その他の課題と新規な特徴は、本開示の記述および添付図面から明らかになるであろう。
【課題を解決するための手段】
【０００５】
本開示のうち、代表的なものの概要を簡単に説明すれば、下記のとおりである。
すなわち、表示装置は表示パネルと透光性カバーとを備える。前記表示パネルは、第１の表示領域と、額縁領域と、前記第１の表示領域と前記額縁領域の間に配置される第２の表示領域と、を備える。前記透光性カバーは、前記第１の表示領域の上方に配置される第１の領域と、前記第２の表示領域と前記額縁領域上方に配置される第２の領域と、を備える。前記第１の表示領域は４種以上のサブピクセルから構成される。前記第２の表示領域は３種のサブピクセルから構成される。前記第２の表示領域の画素の画素密度は、前記第１の表示領域の画素密度よりも大きくするようにされる。
【図面の簡単な説明】
【０００６】
【図１Ａ】実施例１に係る表示装置の構成を示す平面図である。
【図１Ｂ】図１ＡのＣ−Ｃ’線における断面図である。
【図１Ｃ】図１Ａの矩形領域Ｄの拡大平面図である。
【図１Ｄ】図１Ｃの矩形領域Ｅの拡大平面図である。
【図１Ｅ】図１ＥのＦ−Ｆ’線における断面図である。
【図２】実施例１に係る表示パネルの構成を示す平面図である。
【図３】比較例に係る表示パネルの構成を示す平面図である。
【図４】実施例２に係る表示パネルの構成を示す平面図である。
【図５】実施例３に係る表示パネルの構成を示す平面図である。
【図６】実施例４に係る表示パネルの構成を示す平面図である。
【発明を実施するための形態】
【０００７】
実施の形態に係る表示装置は、中央表示領域が４種以上のサブピクセル構成である場合、虚像を作り出すために用いる周辺表示領領域の画素構成を３サブピクセルにまで要素数を減らし、空いたスペースを高密度配置するために割り当てる。レンズ部の額縁近辺（周辺表示領域）の画素密度をのみ圧縮しておき、見かけ上非レンズ部（平板部）の画像と違和感が生じないようにする。周辺表示領域の画素辺は、均等または徐々に狭くしてもよい。
上記の表示装置によれば、表示パネルには額縁領域が存在するが、表示パネルの観察者側にレンズ部を有する透光性カバーを設けることによって、額縁近傍の画素、或いは画像をレンズで拡大し、額縁上にあたかも映像があるように見せることができ、額縁領域を見え難くすることができる。また、高精細化できる上限が緩和されることで、虚像で隠すことができる額縁の大きさを大きくとることができる。
本実施の形態に係る表示装置は、有機ＥＬ表示装置、液晶表示装置、その他の自発型表示装置、あるいは電気泳動素子等を有する電子ペーパ型表示装置等、あらゆるフラットパネル表示装置に適用できる。また、中小型から大型まで、特に限定することなく適用が可能であることは言うまでもない。
【０００８】
以下に、実施例および変形例について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【実施例１】
【０００９】
実施例１に係る表示装置について、図１Ａ〜図１Ｆを参照して説明する。
図１Ａは実施例１に係る表示装置の構成を示す平面図である。図１Ｂは図１ＡのＣ−Ｃ’線における断面図である。図１Ｃは図１Ａの矩形領域Ｄの拡大平面図である。図１Ｄは図１Ｃの矩形領域Ｅの拡大平面図である。図１Ｅは図１ＤのＦ−Ｆ’線における断面図である。
【００１０】
実施例１に係る表示装置１０は、表示パネルＰＮＬと透光性カバーＴＣを備える。例えば、表示パネルＰＮＬは、画素電極や薄膜トランジスタ（ＴＦＴ）が形成されるＴアレイ基板（ＴＦＴ基板）と、カラーフィルタ等が形成される対向基板（ＣＦ基板）とを備える。表示パネルＰＮＬが液晶表示パネルの場合は、アレイ基板と対向基板の間に液晶層が挟持される。アレイ基板の図１Ａの下側の額縁領域には、半導体集積回路で構成される駆動回路がＣＯＧ実装される。アレイ基板には、映像信号線（ソース線）と走査線（ゲート線）が形成される。走査線（ゲート線）は表示領域ＡＡ内をＸ方向（第１の方向）に延在する。映像信号線（ソース線）は、半導体集積回路で構成される駆動回路から表示領域ＡＡ内をＹ方向（第２の方向）に延在する。走査線の駆動回路は、半導体集積回路で構成される駆動回路で構成してもよいし、図１Ａの右側および／または左側の額縁領域にＴＦＴ回路で構成してもよい。
【００１１】
図１Ａに示すように、表示パネルＰＮＬは矩形状であり、表示領域ＡＡと表示領域ＡＡの外側に設けられる額縁領域ＰＦを有する。表示領域ＡＡには複数の画素がアレイ状に構成される。各画素は、Ｒサブピクセル、Ｇサブピクセル、Ｂサブピクセル、Ｗピクセルで構成される。各サブピクセルは、縦方向（Ｙ方向）の長さが、横方向（Ｘ方向）の長さよりの長い矩形状（縦ストライプ）をしている。
【００１２】
図１Ｂに示すように、表示領域ＡＡは、中央表示領域（第１の領域）ＣＡと周辺表示領域（第２の領域）ＰＡを有する。中央表示領域ＣＡは複数の画素を有し、それらの画素の画素密度は均等である。周辺表示領域ＰＡは複数の画素を有し、それらの画素の画素密度を拡大率と見栄えに合わせ高精細化する。透光性カバーＴＣと表示パネルＰＮＬとの間に偏光板ＰＯＬと空気相ＡＰを有する。空気相ＡＰは、屈折率が空気と透光性カバーＴＣの間（例えば１〜１．５程度）の樹脂層で構成されてもよい。透光性カバーＴＣは、表示パネルＰＮＬよりも一回り大きくなっている。透光性カバーＴＣは、平板部（非レンズ部、第１の領域）ＴＣＦとレンズ部（第２の領域）ＴＣＬとを有している。透光性カバーＴＣは平面視で矩形状であり、レンズ部ＴＣＬは、透光性カバーＴＣの４辺に設けられている。図１Ｄに示すように、透光性カバーＴＣの４隅のレンズ部は破線で示した円形レンズを切り抜いた形状である。透光性カバーＴＣのレンズ部ＴＣＬは、表示パネルＰＮＬの額縁領域ＰＦと、額縁領域ＰＦに隣接する表示領域ＡＡ内の周辺表示領域ＰＡとを含む領域に重なる位置に配置されている。レンズ部ＴＣＬの観察者側表面２０は曲面である。平板部ＴＣＦの出射面２２は表示パネルＰＮＬの表示面２０に平行である。
【００１３】
図１Ｂに示すように、周辺表示領域ＰＡから出射された光は、レンズ部ＴＣＬに入射し、外側（額縁領域ＰＦの側）に屈折される。このとき、レンズ部ＴＣＬに入射した光は、レンズ部ＴＣＬの観察者側表面２０で屈折され、周辺表示領域ＰＡおよび額縁領域ＰＦの上に配置された、レンズ部ＴＣＬの観察者側表面２０から出射される。レンズ部ＴＣＬの観察者側表面２０から出射された光は、表示面２０に垂直な方向（Ｚ方向）に直進する。したがって、表示パネルＰＮＬの周辺表示領域ＰＡに形成される画像が、周辺表示領域ＰＡおよび額縁領域ＰＦから構成される領域に拡大されて表示されるので、額縁領域ＰＦが見え難くなる。また、中央表示領域ＣＡに配列された画素から出射された光は、平板部ＴＣＦに入射し、表示面２０に垂直な方向（Ｚ方向）に直進する。したがって、平板部ＴＣＦの観察者側には中央表示領域ＣＡに形成される画像が表示される。
【００１４】
レンズ部ＴＣＬとしては、凸レンズ、凹レンズ、或いは凸シリンドカルレンズ、凹シリンドカルレンズを用いる。レンズ部ＴＣＬは液晶レンズによる構成でもよい。図１Ｄに示すように、４隅のレンズ部ＴＣＬは円形レンズを切り抜いた形状である。ただし、必ずしも円形である必要はなく、シリンドカルレンズの２枚構成でもよい。
【００１５】
図１Ｄに示すように、周辺表示領域ＰＡは、Ｘ方向に高精細化する領域ＰＡＸと、Ｙ方向に高精細化する領域ＰＡＹと、Ｘ方向およびＹ方向に高精細化する領域ＰＡＸＹと、を有する。図１Ｄおよび図１Ｅに示すように、矩形形状の透光性カバーＴＣの４隅では、表示パネルＰＮＬと同じ大きさである。
【００１６】
図２は実施例１に係る表示パネルの構成を示す平面図である。図３は図１ＡのＣ−Ｃ’線に対応する部分である。
実施例１に係る表示パネルでは、中央表示領域ＣＡには複数の画素（第１の画素）ＰＣ１を有し、周辺表示領域ＰＡにはＸ方向に５つの画素（第２の画素）ＰＰ１を有し、額縁領域ＰＦ１を虚像で隠している。
中央表示領域ＣＡの画素ＰＣ１は、縦ストライプ形状のＲサブピクセル、Ｇサブピクセル、Ｂサブピクセル、Ｗピクセルで構成される。画素ＰＣ１の幅をＷＣ１、長さをＬＣ１とすると、各サブピクセルの幅はＷＣ１／４であり、長さはＬＣ１である。周辺表示領域ＰＡの画素ＰＰ１は、縦ストライプ形状のＲサブピクセル、Ｇサブピクセル、Ｂサブピクセルで構成される。画素ＰＰ１の幅をＷＰ１とすると、各サブピクセルの幅はＷＰ１／３である。ここで、ＷＰ１＜ＷＣ１である。なお、画素ＰＰ１およびその各サブピクセルの長さはＬＣ１である。画素ＰＰ１の画素密度は画素ＰＣ１の画素密度よりも大きい。すなわち、実施例１の表示パネルの周辺表示領域ＰＡは、Ｘ方向に高精細化している。５つの画素ＰＰ１の画素辺の長さおよび幅は、それぞれ均等に設計され、均等になるように製造される。
【００１７】
＜比較例＞
図３は比較例に係る表示パネルの構成を示す平面図である。図２は図１ＡのＣ−Ｃ’線に対応する部分である。
比較例に係る表示パネルでは、中央表示領域ＣＡには複数の画素ＰＣ１を有し、周辺表示領域ＰＡにはＸ方向に４つの画素ＰＰＲを有し、額縁領域ＰＦＲを虚像で隠している。
中央表示領域ＣＡの画素ＰＣ１は、実施例１と同じである。周辺表示領域ＰＡの画素ＰＰＲは、縦ストライプ形状のＲサブピクセル、Ｇサブピクセル、Ｂサブピクセル、Ｗピクセルで構成される。画素ＰＰＲの幅をＷＰＲとすると、各サブピクセルの幅はＷＰＲ／４である。ここで、ＷＰＲ＜ＷＣ１である。なお、画素ＰＰＲおよびその各サブピクセルの長さはＬＣ１である。すなわち、比較例の表示パネルの周辺表示領域ＰＡは、Ｘ方向に高精細化している。４つの画素ＰＰＲの画素辺の長さおよび幅は、それぞれ均等である。周辺表示領域ＰＡの幅は４×ＷＰＲであり、額縁領域ＰＦＲの幅はＷＦＲである。
ここで、実施例１の画素ＰＰ１の各サブピクセルの幅と比較例の画素ＰＰＲの各サブピクセルの幅と同じとすると、
ＷＰ１／３＝ＷＰＲ／４
∴ＷＰ１＝３×ＷＰＲ／４＜ＷＰＲ＜ＷＣ１
である。実施例１の周辺表示領域ＰＡの幅は、
５×ＷＰ１＝５×３×ＷＰＲ／４＝１５×ＷＰＲ／４＜４×ＷＰＲ
であり、比較例の周辺表示領域ＰＡの幅よりもＷＰＲ／４だけ狭い。すなわち、実施例１の周辺表示領域ＰＡの幅が比較例の周辺表示領域ＰＡの幅と同じであったとしても、実施例１の周辺表示領域ＰＡの画素数は、比較例の周辺表示領域ＰＡの画素数よりも１画素多くすることができる。したがって、実施例１の虚像で隠せる額縁領域ＰＦ１の幅（ＷＦ１）は比較例の虚像で隠せる額縁領域ＰＦＲの幅（ＷＦＲ）よりも広くすることができる。
【実施例２】
【００１８】
図４は実施例２に係る表示パネルの構成を示す平面図である。図４は図１Ａの破線矩形Ｄに対応する部分である。
実施例２に係る表示装置は、実施例１に係る表示パネルと周辺表示領域ＰＡにおける画素構成が異なるのみで、その他の構成は同じである。実施例２に係る表示パネルでは、中央表示領域ＣＡには複数の画素ＰＣ１を有し、周辺表示領域ＰＡには、Ｘ方向に３つの画素、Ｙ方向に３つの画素を有し、額縁領域ＰＦ２を虚像で隠している。したがって、周辺表示領域ＰＡＸのＸ方向に３つの画素、周辺表示領域ＰＡＹのＹ方向に３つの画素、周辺表示領域ＰＰＸＹに９つの画素を有する。
【００１９】
中央表示領域ＣＡの画素ＰＣ１は、実施例１と同じである。周辺表示領域ＰＡＸの画素ＰＰＸ１、ＰＰＸ２、ＰＰＸ３は、縦ストライプ形状のＲサブピクセル、Ｇサブピクセル、Ｂサブピクセルで構成される。画素（第２の画素）ＰＰＸ１の幅をＷＰ２１、長さをＬＣ１とすると、各サブピクセルの幅はＷＰ２１／３、長さはＬＣ１である。画素（第３の画素）ＰＰＸ２の幅をＷＰ２２、長さをＬＣ１とすると、各サブピクセルの幅はＷＰ２２／３、長さはＬＣ１である。画素ＰＰＸ３の幅をＷＰ２３、長さをＬＣ１とすると、各サブピクセルの幅はＷＰ２３／３、長さはＬＣ１である。ここで、ＷＰ２３＜ＷＰ２２＜ＷＰ２１＜ＷＣ１である。画素ＰＣ１、画素ＰＰＸ１、画素ＰＰＸ２、画素ＰＰＸ３の順に画素密度が大きくなっている。すなわち、周辺表示領域ＰＡＸは、Ｘ方向に額縁領域ＰＦ２に近づくにつれて画素幅を徐々に狭くし高精細化している。
【００２０】
周辺表示領域ＰＡＹの画素ＰＰＹ１、ＰＰＹ２、ＰＰＹ３は、縦ストライプ形状のＲサブピクセル、Ｇサブピクセル、Ｂサブピクセル、Ｗサブピクセルで構成される。画素（第２の画素）ＰＰＹ１の幅をＷＣ１、長さをＬＰ２１とすると、各サブピクセルの幅はＷＣ１／４、長さはＬＰ２１である。画素（第３の画素）ＰＰＹ２の幅をＷＣ１、長さをＬＰ２２とすると、各サブピクセルの幅はＷＣ１／４、長さはＬＰ２２である。画素ＰＰＹ３の幅をＷＣ１、長さをＬＰ２３とすると、各サブピクセルの幅はＷＣ１／４、長さはＬＰ２３である。ここで、ＬＰ２３＜ＬＰ２２＜ＬＰ２１＜ＬＣ１である。画素ＰＣ１、画素ＰＰＹ１、画素ＰＰＹ２、画素ＰＰＹ３の順に画素密度が大きくなっている。すなわち、周辺表示領域ＰＰＹは、Ｙ方向に額縁領域ＰＦ２に近づくにつれて画素長さを徐々に短くし高精細化している。
【００２１】
周辺表示領域ＰＰＸＹの画素ＰＰ１１、ＰＰ２１、ＰＰ３１は、縦ストライプ形状のＲサブピクセル、Ｇサブピクセル、Ｂサブピクセルで構成される。画素（第２の画素）ＰＰ１１の幅をＷＰ２１、長さをＬＰ２１とすると、各サブピクセルの幅はＷＰ２１／３、長さはＬＰ２１である。画素ＰＰ２１の幅をＷＰ２２、長さをＬＰ２１とすると、各サブピクセルの幅はＷＰ２２／３、長さはＬＰ２１である。画素ＰＰ３１の幅をＷＰ２３、長さをＬＰ２１とすると、各サブピクセルの幅はＷＰ２３／３、長さはＬＰ２１である。画素ＰＰ１２、ＰＰ２２、ＰＰ３２は、縦ストライプ形状のＲサブピクセル、Ｇサブピクセル、Ｂサブピクセルで構成される。画素ＰＰ１２の幅はＷＰ２１、長さをＬＰ２２とすると各サブピクセルの幅はＷＰ２１／３、長さはＬＰ２２である。画素（第３の画素）ＰＰ２２の幅はＷＰ２２、長さをＬＰ２２とすると、各サブピクセルの幅はＷＰ２２／３、長さはＬＰ２２である。画素ＰＰ３２の幅をＷＰ２３、長さをＬＰ２２とすると、各サブピクセルの幅はＷＰ２３／３、長さはＬＰ２２である。画素ＰＰ１３、ＰＰ２３、ＰＰ３３は、縦ストライプ形状のＲサブピクセル、Ｇサブピクセル、Ｂサブピクセルで構成される。画素ＰＰ１３の幅をＷＰ２１、長さをＬＰ２３とすると、各サブピクセルの幅はＷＰ２１／３、長さはＬＰ２３である。画素ＰＰ２３の幅をＷＰ２２、長さをＬＰ２３とすると、各サブピクセルの幅はＷＰ２２／３、長さはＬＰ２３である。画素ＰＰ３３の幅をＷＰ２３、長さをＬＰ２３とすると、各サブピクセルの幅はＷＰ２３／３、長さはＬＰ２３である。ここで、ＷＰ２３＜ＷＰ２２＜ＷＰ２１＜ＷＣ１であり、ＬＰ２３＜ＬＰ２２＜ＬＰ２１＜ＬＣ１である。例えば、画素ＰＰＣ１、画素ＰＰ１１、画素ＰＰ２２、画素ＰＰ３３の順に画素密度が大きくなっている。すなわち、周辺表示領域ＰＰＸＹは、Ｘ方向およびＹ方向に額縁領域ＰＦ２に近づくにつれて画素の大きさを徐々に小さくし高精細化している。
【実施例３】
【００２２】
図５は実施例３に係る表示パネルの構成を示す平面図である。図５は図１ＡのＣ−Ｃ’線に対応する部分である。
実施例３に係る表示パネルでは、中央表示領域ＣＡには画素ＰＣ３Ｂと画素ＰＣ３Ｗを市松模様状に複数有し、周辺表示領域ＰＡにはＸ方向に６つの画素ＰＰ３を有し、額縁領域ＰＦ３を虚像で隠している。
中央表示領域ＣＡの画素（第１の画素）ＰＣ３Ｂは、縦ストライプ形状のＲサブピクセル、Ｇサブピクセル、Ｂサブピクセルで構成され、画素（第４の画素）ＰＣ１Ｗは、縦ストライプ形状のＲサブピクセル、Ｇサブピクセル、Ｗサブピクセルで構成される。画素ＰＣ３Ｂ、ＰＣ３Ｗの大きさを実施例１の画素ＰＣ１と同じとすると、幅はＷＣ１、長さはＬＣ１となる。
【００２３】
周辺表示領域ＰＡの画素（第２の画素）ＰＰ３は、縦ストライプ形状のＲサブピクセル、Ｇサブピクセル、Ｂサブピクセルで構成される。画素ＰＰ３の幅をＷＰ３、長さをＬＣ１とすると、ＲサブピクセルとＧサブピクセルの幅は２×ＷＰ３／５、Ｂサブピクセルの幅はＷＰ３／５、各サブピクセルの長さはＬＣ１である。ここで、ＲサブピクセルとＧサブピクセルの幅を実施例１の各サブピクセルの幅と同じとすると、２×ＷＰ３／５＝ＷＰ１／３である。したがって、ＷＰ３＝５×ＷＰ１／６となる。ここで、ＷＰ３＝５×ＷＰ１／６＝５×ＷＰＲ／８＜ＷＰ１＜ＷＰＲ＜ＷＣ１である。すなわち、実施例３の周辺表示領域ＰＡは、Ｘ方向に高精細化している。６つの画素ＰＰ３の画素辺の長さおよび幅は、それぞれ均等である。実施例３の周辺表示領域ＰＡの幅は、
６×ＷＰ３＝６×５×ＷＰ１／６＝５×ＷＰ１
であり、実施例１の周辺表示領域ＰＡの幅と同じである。したがって、実施例３の周辺表示領域ＰＡの画素数は、実施例１の周辺表示領域ＰＡの画素数よりも１画素多くすることができる。したがって、実施例３の虚像で隠せる額縁領域ＰＦ３の幅（ＷＦ３）は実施例１の虚像で隠せる額縁領域ＰＦ１の幅（ＷＦ１）より広くすることができる。
【実施例４】
【００２４】
図６は実施例４に係る表示パネルの構成を示す平面図である。図６は図１ＡのＣ−Ｃ’線に対応する部分である。
実施例４に係る表示パネルでは、中央表示領域ＣＡには画素ＰＣ４Ｂと画素ＰＣ４Ｗを市松模様状に複数有し、周辺表示領域ＰＡにはＸ方向にそれぞれ３つの画素ＰＰ４Ｂと画素ＰＰ４Ｗを市松模様状に有し、額縁領域ＰＦ４を虚像で隠している。
中央表示領域ＣＡの画素（第１の画素）ＰＣ４Ｂは、縦ストライプ形状のＲサブピクセル、Ｇサブピクセル、Ｂサブピクセルで構成され、画素（第４の画素）ＰＣ４Ｗは、縦ストライプ形状のＲサブピクセル、Ｇサブピクセル、Ｗサブピクセルで構成される。画素ＰＣ４Ｂ、ＰＣ４Ｗの幅をＷＣ４、長さをＬＣ１とすると、各サブピクセルの幅はＷＣ４／３であり、長さはＬＣ１である。実施例４の各サブピクセルの幅を比較例のサブピクセルの幅と同じとすると、ＷＣ４／３＝ＷＣ１／４となる。したがって、ＷＣ４＝３×ＷＣ１／４であるので、実施例４の中央表示領域ＣＡの画素密度は、比較例の中央表示領域ＰＮの画素密度よりも高くすることができる。
【００２５】
周辺表示領域ＰＡの画素（第４の画素）ＰＰ４Ｂは、縦ストライプ形状のＲサブピクセル、Ｇサブピクセル、Ｂサブピクセルで構成される。画素（第５の画素）ＰＰ４Ｗは、縦ストライプ形状のＲサブピクセル、Ｇサブピクセル、Ｗサブピクセルで構成される。画素ＰＰ４Ｂ、ＰＰ４Ｗの幅をＷＰ４、長さをＬ１とすると、各サブピクセルの幅はＷＰ４／３、長さはＬＣ１である。実施例４の各サブピクセルの幅を比較例の各サブピクセルの幅と同じとすると、ＷＰ４／３＝ＷＰＲ／４となる。したがって、ＷＰ４＝３×ＷＰＲ／４であるので、実施例４の周辺表示領域ＰＡの画素密度は、比較例の周辺表示領域ＰＡの画素密度よりも高くすることができる。
【００２６】
実施例４の中央表示領域ＣＡの画素密度は、従来の３色のサブピクセルから構成される画素密度と同じであり、実施例４の周辺表示領域ＰＡの画素密度は、従来の３色のサブピクセルから構成される画素密度と同じである。したがって、実施例４の表示装置は、従来の表示装置よりも輝度が高い表示特性を得ながら、従来の表示装置と同程度の画素密度とすることができる。
【００２７】
実施例１から実施例４において、縦ストライプ形状の表示装置について説明したが、横ストライプ形状の表示装置にも適用できることは言うまでもない。横ストライプ形状とは、各サブピクセルの横方向（Ｘ方向）の長さが、縦方向（Ｙ方向）の長さよりの長い矩形形状をいう。
【符号の説明】
【００２８】
ＡＡ・・・表示領域
ＰＦ、ＰＦ１、ＰＦ２、ＰＦ３、ＰＦ４、ＰＦＲ・・・額縁領域
ＴＣ・・・透光性カバー
ＴＣＦ・・・平坦部
ＴＣＬ・・・レンズ部
ＡＰ・・・空気相
ＰＯＬ・・・偏光板
ＰＮＬ・・・表示パネル
ＣＡ・・・中央表示領域
ＰＡ、ＰＡＸ、ＰＡＹ、ＰＡＸＹ・・・周辺表示領域
ＰＣ１、ＰＣ３Ｂ、ＰＣ３Ｗ、ＰＣ４Ｂ、ＰＣ４Ｗ・・・中央表示領域の画素
ＰＰ１、ＰＰＸ１、ＰＰＸ２、ＰＰＸ３、ＰＰＹ１、ＰＰＹ２、ＰＰＹ３、ＰＰ１１、ＰＰ１２、ＰＰ１３、ＰＰ２１、ＰＰ２２、ＰＰ２３、ＰＰ３１、ＰＰ３２、ＰＰ３３、ＰＰＰ３Ｂ、ＰＰ４Ｂ、ＰＰ４Ｗ、ＰＰＲ・・・周辺表示領域の画素
【図１Ａ】
2015172661.tif 000003
【図１Ｂ】
2015172661.tif 000004
【図１Ｃ】
2015172661.tif 000005
【図１Ｄ】
2015172661.tif 000006
【図１Ｅ】
2015172661.tif 000007
【図２】
2015172661.tif 000008
【図３】
2015172661.tif 000009
【図４】
2015172661.tif 000010
【図５】
2015172661.tif 000011
【図６】
2015172661.tif 000012